(57)【要約】【課題】装置筐体の上方向よりハードディスクドライブの挿抜作業な可能なハードディスクドライブ着脱機構を設けたハードディスクドライブ搭載装置を提供する。【解決手段】ＨＤＤ（ハードディスクドライブ）８の両側面に設けたピンを利用してＨＤＤ８を交換可能にしたラックマウント型のＨＤＤ搭載装置１０であり、筐体内に設けたＨＤＤの搭載エリアＨＡにＨＤＤを独立に着脱できるＨＤＤ着脱機構３０を設け、このＨＤＤ着脱機構３０を、垂直溝と水平溝とを有するガイド溝を備えて平行に配置された２枚の固定レール３１と、２枚の固定レールの内側を移動し、垂直部と斜面部を備えてガイド溝内のガイドピンを移動させるガイドピン駆動溝を備える移動レールとから形成した。ガイド溝内に挿入されたガイドピンは、操作レバー３４の操作で移動レールを動かし、ガイド溝の垂直部又は斜面部で押して移動させることによりＨＤＤ８を着脱する。【選択図】図７Ｂ
2015076113.tif 000002
【特許請求の範囲】
【請求項１】
両側面にガイドピンが突設されたガイドピン付のハードディスクドライブが交換可能に搭載されるハードディスクドライブ搭載装置であって、
前記ハードディスクドライブ搭載装置の筐体内の前記ハードディスクドライブの搭載エリアに、１つの前記ハードディスクドライブの搭載部分毎に、前記搭載部分に対して前記ハードディスクドライブを独立に着脱できる機構が設けられており、
前記機構が、
前記ガイドピンを受け入れるガイド溝を備えた固定レールと、
該固定レールに対して隣接し、前記ガイド溝に入った前記ガイドピンを駆動溝によって移動させる移動レールとを備え、
前記ガイド溝に前記ガイドピンが挿入された時に前記固定レールの一端側に前記移動レールを移動させると、前記搭載部分に前記ハードディスクドライブが搭載され、前記搭載部分に前記ハードディスクドライブが搭載された状態で前記固定レールの他端側に前記移動レールを移動させると、前記搭載部分から前記ハードディスクドライブが取り出せる状態になるハードディスクドライブ搭載装置。
【請求項２】
両側面にガイドピンが突設されたガイドピン付のハードディスクドライブ及び前面に着脱用部材を有するガイドピン無しのハードディスクドライブが、交換可能に搭載されるハードディスクドライブ搭載装置であって、
前記ハードディスクドライブ搭載装置の筐体内に、前記ガイドピン付のハードディスクドライブを搭載する第１の搭載エリアと、前記ガイドピン無しのハードディスクドライブを搭載する第２の搭載エリアとを備え、
前記第２の搭載エリアが前記筐体の前面側に設けられ、前記第１の搭載エリアが前記第２の搭載エリアよりも背面側に設けられ、
前記第１の搭載エリアには、前記ガイドピン付のハードディスクドライブの搭載部分毎に、前記搭載部分に対して前記ガイドピン付のハードディスクドライブを独立に着脱できる機構が設けられ、
前記機構が、
前記ガイドピンを受け入れるガイド溝を備えた固定レールと、
該固定レールに対して隣接し、前記ガイド溝に入った前記ガイドピンを駆動溝によって移動させる移動レールとを備え、
前記ガイド溝に前記ガイドピンが挿入された時に前記固定レールの一端側に前記移動レールを移動させると、前記搭載部分に前記ガイドピン付のハードディスクドライブが搭載され、前記搭載部分に前記ハードディスクドライブが搭載された状態で前記固定レールの他端側に前記移動レールを移動させると、前記搭載部分から前記ガイドピン付のハードディスクドライブが取り出せる状態になる請求項１に記載のハードディスクドライブ搭載装置。
【請求項３】
前記固定レールが平行に配置された２枚の固定レールであり、
前記固定レールの各個の一方の端部の間に、前記ガイドピン付のハードディスクドライブに接続する接続コネクタを備えた基板が設けられており、
前記移動レールは、前記固定レールの内側を、前記基板に対して離れる方向或いは近づく方向に摺動可能であり、
前記ガイド溝は、前記ハードディスクドライブの搭載時に前記ガイドピンを受け入れる垂直溝と、前記垂直溝内の前記ガイドピンを前記基板側に移動させる水平溝とを備えており、
前記駆動溝は、前記基板に近い側に斜面部、遠い側に垂直部を備え、前記移動レールの摺動時に、前記斜面部又は前記垂直部を前記ガイドピンに当接させて前記ガイドピンを前記ガイド溝内で移動させる請求項１又は２に記載のハードディスクドライブ搭載装置。
【請求項４】
前記移動レールに、外力の印加により前記移動レールを移動させる移動レール駆動部材が設けられている請求項１から３の何れか１項に記載のハードディスクドライブ搭載装置。
【請求項５】
ラック内にハードディスクドライブ搭載装置を積み重ねて搭載した情報処理装置であって、
前記ハードディスクドライブ搭載装置には、両側面にガイドピンが突設されたガイドピン付のハードディスクドライブが交換可能に搭載され、
前記ハードディスクドライブ搭載装置の筐体内の前記ハードディスクドライブの搭載エリアに、１つの前記ハードディスクドライブの搭載部分に対して１つ設けられ、前記搭載部分に対して前記ハードディスクドライブを独立に着脱できる機構を備え、前記機構が、
前記ガイドピンを受け入れるガイド溝を備えた固定レールと、
該固定レールに対して隣接し、前記ガイド溝に入った前記ガイドピンを駆動溝によって移動させる移動レールとを備え、
ハードディスクドライブ搭載装置では、前記ガイド溝に前記ガイドピンが挿入された時に、前記固定レールの一端側に前記移動レールを移動させると、前記搭載部分に前記ハードディスクドライブが搭載され、前記固定レールの他端側に前記移動レールを移動させると、前記搭載部分から前記ハードディスクドライブが取り出せる状態になる情報処理装置。
【請求項６】
ラック内にハードディスクドライブ搭載装置を積み重ねて搭載した情報処理装置であって、
両側面にガイドピンが突設されたガイドピン付のハードディスクドライブ及び前面に着脱用部材を有するガイドピン無しのハードディスクドライブが交換可能に搭載され、
前記ハードディスクドライブ搭載装置の筐体内に、前記ガイドピン付のハードディスクドライブを搭載する第１の搭載エリアと、前記ガイドピン無しのハードディスクドライブを搭載する第２の搭載エリアとを備え、
第２の搭載エリアが前記筐体の前面側に設けられ、前記第１の搭載エリアが前記第２の搭載エリアよりも背面側に設けられ、
前記第１の搭載エリアは、１つの前記ガイドピン付のハードディスクドライブの搭載部分に対して１つ設けられ、前記搭載部分に対して前記ガイドピン付のハードディスクドライブを独立に着脱できる機構を備え、前記機構が、
前記ガイドピンを受け入れるガイド溝を備えた固定レールと、
該固定レールに対して隣接し、前記ガイド溝に入った前記ガイドピンを駆動溝によって移動させる移動レールとを備え、
ハードディスクドライブ搭載装置では、前記ガイド溝に前記ガイドピンが挿入された時に、前記固定レールの一端側に前記移動レールを移動させると、前記搭載部分に前記ガイドピン付のハードディスクドライブが搭載され、前記固定レールの他端側に前記移動レールを移動させると、前記搭載部分から前記ガイドピン付のハードディスクドライブが取り出せる状態になる情報処理装置。
【発明の詳細な説明】
【技術分野】
【０００１】
本出願はハードディスクドライブ搭載装置、及びこのハードディスクドライブ搭載装置を組み込んだ情報処理装置に関する。
【背景技術】
【０００２】
近年、データセンタ等に設置されるサーバ装置やストレージ装置は、大量のデータ処理を行なっており、データを記憶するためのハードディスクドライブを数多く実装している。それら装置に搭載されているハードディスクドライブは接続コネクタの構造上、コネクタを接続・抜去するにはユニットを長手方向（水平方向）に挿抜する必要がある。
【０００３】
そのため、図１Ａに示す情報処理装置であるサーバ搭載ラック５０のように、ハードディスクドライブの保守・増設作業を容易に行なうために、通常ハードディスクドライブはレール及びイジェクタを一体化したユニット構造となっている。そして、サーバ搭載ラック５０の前面側からハードディスクドライブを着脱する構造となっているものが一般的である。図１Ａに示されるサーバ搭載ラック５０では、複数のハードディスクドライブを搭載するラックマウントサーバ装置１０が何段にも渡って積み重ねられている。そして、ハードディスクドライブ１の交換時には図１Ｂに示すように、ハードディスクドライブ１がサーバ搭載ラック５０から引き出されたラックマウントサーバ装置１０から取り出される。
【０００４】
ラックマウントサーバ装置１０の前面と背面はアクセスが容易なエリアＡＥであり、側面はアクセスが困難なエリアＡＤである。ラックマウントサーバ装置１０には、複数のハードディスクドライブ１を縦横方向に並べて収容する前面シェルフ１０Ｓがあり、その後方にファン２、ＣＰＵ３，メモリ４や拡張ＰＣＩボード５等が配置されている。ハードディスクドライブ１の側面には固定／挿抜用フレーム１Ｆが設けられており、この固定／挿抜用フレーム１Ｆを利用してハードディスクドライブ１は前面シェルフ１０Ｓに収容される。
【０００５】
図２Ａは、図１Ｂに示したラックマウントサーバ装置１０のハードディスク搭載部である前面シェルフ１０Ｓから１つのハードディスクドライブ１を抜き出す様子を示すものであり、図２Ｂは図２Ａを側面から見た状態を示している。ハードディスクドライブ１の前面には着脱用部材１Ｕが設けられており、ハードディスクドライブ１をラックマウントサーバ装置１０の前面シェルフ１０Ｓから取り出す際には着脱用部材１Ｕを使用する。前面シェルフ１０Ｓの壁面にはハードディスクドライブ１を取り付けるためのガイド１１があり、ハードディスクドライブ１はガイド１１に沿って接続／抜去が可能である。
【０００６】
着脱用部材１Ｕを使用してハードディスクドライブ１を前面シェルフ１０Ｓから引き出すと、前面シェルフ１０Ｓの背面側に設けられたバックプレーン（回路基板）３３にある接続コネクタ３３Ｃとハードディスクドライブ１のコネクタ１Ｃとの接続が外れる。このように、ハードディスクドライブ１を前面シェルフ１０Ｓから取り出す際に使用する着脱用部材１Ｕについては、類似の構成が特許文献１に開示されている。
【０００７】
一方、今後も更なるデータ容量の増加が予想され、より大容量のハードディスクドライブを搭載した装置が必要となる。ところが、図１Ｂに示したようなハードディスクドライブ１を前面シェルフ１０Ｓにしか搭載しないラックマウントサーバ装置１０は、装置前面にある前面シェルフ１０Ｓのスペースが、装置全体のサイズに比べて小さい。このため、どうしてもラックマウントサーバ装置１０に搭載できるハードディスクドライブの台数が限られてくる。
【０００８】
そのため、ハードディスクドライブの搭載密度を上げるには、ラックマウントサーバ装置１０の前方のみではなく、ラックマウントサーバ装置１０の中央部にもハードディスクドライブ１を搭載することが考えられる。図３Ａは前面シェルフ１０Ｓの後方のラックマウントサーバ装置１０の中央部にハードディスクドライブ１を搭載した例を示すものである。
【０００９】
このように、ラックマウントサーバ装置１０の中央部にもハードディスクドライブ１を搭載した場合、保守・増設作業時には、図３Ｂに示すように、ハードディスクドライブ１を水平方向に移動してコネクタの抜去をしてから上方へ取り外す必要がある。逆に、ハードディスクドライブ１の取付け時には、ハードディスクドライブ１を上方から挿入してから水平方向に移動してコネクタの接続を行なう必要がある。
【００１０】
その結果、保守・増設時の作業性を維持したままハードディスクドライブ１を取り出す場合には、前述の着脱用部材１Ｕ等でハードディスクドライブ１の接続を解除した後、ハードディスクドライブ１をガイド１１より前方に引き出し切った後に上方へ取り出すことになる。このため、ラックマウントサーバ装置１０の中央部に、ハードディスクドライブ１の増設・保守作業エリアＭＡ（作業スペース）を確保しなければならず、ハードディスクドライブ１の実装密度が低下してしまうという問題がある。
【００１１】
そこで、図４Ａ、図４Ｂに示すように、ハードディスクドライブ１を取付金具１３とネジ１５で基板１７上のブラケット１４に固定し、ハードディスクドライブ１とラックマウントサーバ装置１０との接続をケーブル１２で行う構造が考えられた。この構造では、ハードディスクドライブ１を水平方向に移動させず、ケーブルコネクタ１２Ｃをハードディスクドライブ１のコネクタ１Ｃから外せば、ハードディスクドライブ１を開口部１６から上方へ直接引き出すことができ、増設・保守作業エリアＭＡを小さくできる。
【先行技術文献】
【特許文献】
【００１２】
【特許文献１】特表２００２−５０３３７６号公報
【発明の概要】
【発明が解決しようとする課題】
【００１３】
しかしながら、ケーブルを使用する接続構造の場合、ハードディスクドライブの実装密度は改善できるが、保守・増設時の作業性が著しく低下してしまうという課題がある。更に、装置稼動状態での作業の場合は通電状態での作業となる為、安全面や機能的な保護等が必要となり、余分な機構が必要となる事から、結局、実装密度の低下を招き、さらにコストアップの要因ともなる。
【００１４】
ところで、図４Ａに示した構造をとった場合、ハードディスクドライブ１の周囲に増設・保守作業エリアＭＡが確保でき、ハードディスクドライブ１側及び筐体１０Ａ側に着脱及び固定用の機構部品（取付金具１３、ブラケット１４等）が配置される。一方、ハードディスクドライブ１は発熱する為、冷却風ＣＡを流して冷却する必要がある。しかし、増設・保守作業エリアＭＡが装置中央部にあると、図５Ａ、図５Ｂに示すように、冷却風ＣＡがその空間に流れてしまい、ハードディスクドライブ１の内部が冷却され難いという課題がある。又、着脱用の取付金具１３、ブラケット１４が障害物となり、ハードディスクドライブ１に冷却風ＣＡが当たりづらくなる事による冷却性能の低下や、冷却風ＣＡを正しく流す為の整流用機構を設ける為に、さらなる部品追加が必要となり、コストアップの要因となる。
【００１５】
また、図６Ａに示すようなサイズのラックマウントサーバ装置２０では、前面シェルフ２０Ｓに複数のハードディスクドライブ１が積み重ねられ、筐体２０Ａの中央部にマザーボード６が設けられている。そして、マザーボード６の上にはヒートシンク３Ｈを備えたＣＰＵ３、メモリ４、拡張ＰＣＩボード５等が実装されており、ヒートシンク３Ｈを備えたＣＰＵ３やメモリ４等の背の低い部品の上方には部品のない未使用エリアＳＰがあった。このような場合、図６Ｂに示すように、未使用エリアＳＰに冷却ダクト７を設けて冷却風ＣＡが効率良くヒートシンク３Ｈを備えたＣＰＵ３やメモリ４を冷却することが行われるが、未使用エリアＳＰが無駄なスペースとなっていた。
【００１６】
１つの側面では、本出願は、装置筐体の上方向よりハードディスクドライブの挿抜作業な可能なハードディスクドライブ着脱機構を設けたハードディスクドライブ搭載装置の提供を目的とする。また、このようなハードディスクドライブ搭載装置を複数積み重ねて形成される情報処理装置の提供も目的とする。
【課題を解決するための手段】
【００１７】
実施形態の一観点によれば、両側面にガイドピンが突設されたガイドピン付のハードディスクドライブが交換可能に搭載されるラックマウント型のハードディスクドライブ搭載装置であって、ハードディスクドライブ搭載装置の筐体内のハードディスクドライブの搭載エリアに、１つのハードディスクドライブの搭載部分毎に、搭載部分に対してハードディスクドライブを独立に着脱できるハードディスクドライブ着脱機構が設けられており、ハードディスクドライブ着脱機構が、ガイドピンを受け入れるガイド溝を備えた固定レールと、固定レールに対して移動可能に重なり、ガイド溝に入った前記ガイドピンをガイドピン駆動溝によって移動させる移動レールとを備え、ガイド溝にガイドピンが挿入された時に、固定レールの一端側に移動レールを移動させると搭載部分にハードディスクドライブが搭載され、搭載部分にハードディスクドライブが搭載された状態で固定レールの他端側に移動レールを移動させると、搭載部分からハードディスクドライブが取り出せる状態になるハードディスクドライブ搭載装置が提供される。
【００１８】
また、実施形態の他の観点によれば、両側面にガイドピンが突設されたガイドピン付のハードディスクドライブ及び前面に着脱用部材を有するガイドピン無しのハードディスクドライブが交換可能に搭載されるラックマウント型のハードディスクドライブ搭載装置であって、ハードディスクドライブ搭載装置の筐体内に、ガイドピン付のハードディスクドライブを搭載する第１の搭載エリアと、ガイドピン無しのハードディスクドライブを搭載する第２の搭載エリアとを備え、第２の搭載エリアが筐体の前面側に設けられ、第１の搭載エリアが第２の搭載エリアよりも背面側に設けられ、第１の搭載エリアには、１つのガイドピン付のハードディスクドライブの搭載部分毎に、搭載部分に対してガイドピン付のハードディスクドライブを独立に着脱できるハードディスクドライブ着脱機構が設けられ、ハードディスクドライブ着脱機構が、ガイドピンを受け入れるガイド溝を備えた固定レールと、固定レールに対して移動可能に重なり、ガイド溝に入ったガイドピンをガイドピン駆動溝によって移動させる移動レールとを備え、ガイド溝にガイドピンが挿入された時に固定レールの一端側に移動レールを移動させると、搭載部分にガイドピン付のハードディスクドライブが搭載され、搭載部分にハードディスクドライブが搭載された状態で固定レールの他端側に移動レールを移動させると、搭載部分からガイドピン付のハードディスクドライブが取り出せる状態になるハードディスクドライブ搭載装置が提供される。
【図面の簡単な説明】
【００１９】
【図１Ａ】図１Ａは複数のラックマウントサーバ装置を搭載するサーバ搭載ラックの関連技術における構造を示す部分斜視図である。
【図１Ｂ】図１Ｂは図１Ａに示したサーバ搭載ラックから取り出した１つのラックマウントサーバ装置と、このラックマウントサーバ装置のハードディスク搭載部から取り出したハードディスクドライブを示す斜視図である。
【図２Ａ】図２Ａは図１Ｂに示したラックマウントサーバ装置の前面セルから１つのハードディスクドライブを抜き出す様子を示す部分平面図である。
【図２Ｂ】図２Ｂは図２Ａの側面図である。
【図３Ａ】図３Ａは図１Ａに示したサーバ搭載ラックから取り出した１つのラックマウントサーバ装置におけるハードディスクドライブの増設・保守作業エリアを示す部分平面図である。
【図３Ｂ】図３Ｂは図３Ａに示したラックマウントサーバ装置から取り出す又は挿入する１つのハードディスクドライブを、増設・保守作業エリアにおいて取り外す又は挿入する動作を説明する説明図である。
【図４Ａ】図４Ａは図１Ｂに示したラックマウントサーバ装置のハードディスク搭載部においてハードディスクドライブとラック側のコネクタとを接続する別の関連技術の接続構造を示す部分平面図である。
【図４Ｂ】図４Ｂは図４Ａに示したハードディスクドライブの増設・保守作業エリアからハードディスクドライブを垂直方向に取り出す様子を示す側面図である。
【図５Ａ】図５Ａは図４Ａに示したラックマウントサーバ装置のハードディスク搭載部の中を冷却風が流れる様子を示す平面図である。
【図５Ｂ】図５Ｂは図５Ａに示したハードディスクユニットの中を冷却風が流れる様子を示す側面図である。
【図６Ａ】図６Ａは図１Ｂに示したラックマウントサーバ装置の内部の未使用エリアを示すラックマウントサーバ装置の側面図である。
【図６Ｂ】図６Ｂは図６Ａに示した未使用エリアに冷却ダクトが設けられている状態を示す側面図である。
【図７Ａ】図７Ａは本出願のラックマウントサーバ装置に搭載するハードディスクドライブの構造を示す斜視図である。
【図７Ｂ】図７Ｂは本出願の第１の実施例のラックマウントサーバ装置から１つのハードディスクドライブを取り出す様子を説明する斜視図である。
【図８Ａ】図８Ａは図７Ｂに示した本出願の第１の実施例のラックマウントサーバ装置に設けられた１つのハードディスクドライブ着脱機構の構造を示す組立斜視図である。
【図８Ｂ】図８Ｂは図７Ｂに示した本出願の第１の実施例のラックマウントサーバ装置に設けられたハードディスクドライブ着脱機構の、ハードディスクドライブが無い状態の構造を示す部分斜視図である。
【図９Ａ】図９Ａはハードディスクドライブに突設したガイドピンと、本出願の第１の実施例のラックマウントサーバ装置の固定レールと移動レールとの関係を説明する組立斜視図である。
【図９Ｂ】図９Ｂは移動レールに取り付けられたレバーが開いている状態から閉じた状態まで移動した時の固定レールに対する移動レールの動作を説明する遷移図である。
【図９Ｃ】図９Ｃは移動レールに取り付けられたレバーが閉じている状態から開いた状態まで移動した時の固定レールに対する移動レールの動作を説明する遷移図である。
【図１０Ａ】図１０Ａは図９Ａに示したハードディスクドライブのガイドピンが、レバーが開いた状態のラックマウントサーバ装置の固定レールのガイド溝に挿入された状態を示すハードディスクドライブ着脱機構の側面図である。
【図１０Ｂ】図１０Ｂは図１０Ａに示したラックマウントサーバ装置のＡ−Ａ線における断面図である。
【図１０Ｃ】図１０Ｃは図１０Ａに示した状態から、ハードディスクドライブのガイドピンが固定レールのガイド溝の垂直部の底面まで達した状態を示すハードディスクドライブ着脱機構の側面図である。
【図１０Ｄ】図１０Ｄは図１０Ｃに示した状態から、ハードディスクドライブのガイドピンが固定レールのガイド溝の水平部を移動している状態を示すハードディスクドライブ着脱機構の側面図である。
【図１０Ｅ】図１０Ｅは図１０Ｄに示した状態から、ハードディスクドライブのガイドピンが固定レールのガイド溝の水平部の端部まで移動し終えた状態を示すハードディスクドライブ着脱機構の側面図である。
【図１０Ｆ】図１０Ｆは図１０Ｅに示したラックマウントサーバ装置のＢ−Ｂ線における断面図である。
【図１１Ａ】図１１Ａは、図１０Ｅに示した状態からレバーを引き上げる時の固定レール、移動レール及びハードディスクドライブのガイドピンの動作を示すハードディスクドライブ着脱機構の側面図である。
【図１１Ｂ】図１１Ｂは図１１Ａの状態からレバーが更に引き上げられ、ハードディスクドライブのガイドピンが固定レールのガイド溝の水平部と垂直部の交差部まで移動した状態を示すハードディスクドライブ着脱機構の側面図である。
【図１１Ｃ】図１１Ｃは図１１Ｂに示した状態からレバーが更に引き上げられ、ハードディスクドライブのガイドピンが固定レールのガイド溝の垂直部を移動している状態を示すハードディスクドライブ着脱機構の側面図である。
【図１１Ｄ】図１１Ｄは図１１Ｃに示した状態からレバーが更に引き上げられ、レバーが完全に開いた状態を示すハードディスクドライブ着脱機構の側面図である。
【図１２Ａ】図１２Ａは図７Ｂに示した本出願のハードディスクドライブ着脱機構を備えた第１の実施例のラックマウントサーバ装置における冷却風の流れを示す部分平面図である。
【図１２Ｂ】図１２Ｂは図１２Ａに示したラックマウントサーバ装置における冷却風の流れを側面側から見た側面図である。
【図１３Ａ】図１３Ａは、図７Ｂに示したラックマウントサーバ装置の上に保守用カバーが取り付けられたラックマウントサーバ装置が、サーバ搭載ラックに搭載された状態を示す斜視図である。
【図１３Ｂ】図１３Ｂは図１３Ａに示したラックマウントサーバ装置がサーバ搭載ラックから引き出され、保守用カバーが外された状態を示す斜視図である。
【図１３Ｃ】図１３Ｃは図１３Ａに示したラックマウントサーバ装置を側面から見た側面図である。
【図１４Ａ】図１４Ａはサーバ搭載ラックに搭載された本出願の第２の実施例のラックマウントサーバ装置を示す斜視図である。
【図１４Ｂ】図１４Ｂは図１４Ａに示したラックマウントサーバ装置を側面から見た側面図である。
【図１５Ａ】図１５Ａは、サーバ搭載ラックに搭載可能な第２の実施例の変形例のラックマウントサーバ装置を示す斜視図である。
【図１５Ｂ】図１５Ｂは図１５Ａに示したラックマウントサーバ装置内を流れる冷却風の状態を説明する側面図である。
【図１６Ａ】図１６Ａは本出願の第１の実施例のラックマウントサーバ装置に搭載される別の構造のハードディスクドライブ着脱機構を示す側面図である。
【図１６Ｂ】図１６Ｂは図１６Ａの状態からレバーが引き上げられた時の、固定レール、移動レール及びハードディスクドライブのガイドピンの状態を示すハードディスクドライブ着脱機構の側面図である。
【図１６Ｃ】図１６Ｃは図１６Ｂの状態からレバーが更に引き上げられて完全に開いた時の、固定レール、移動レール及びハードディスクドライブのガイドピンの状態を示すハードディスクドライブ着脱機構の側面図である。
【図１７Ａ】図１７Ａは本出願のラックマウントサーバ装置に設けられる更に別の構造を備えたハードディスクドライブ着脱機構の斜視図である。
【図１７Ｂ】図１７Ｂは本出願の更に別の構造を備えたハードディスクドライブ着脱機構の引出しロッドに指を掛けて移動レールを引き出す状態を示すハードディスクドライブ着脱機構の側面図である。
【図１７Ｃ】図１７Ｃは図１７Ｂの状態から引出しロッドが更に引っ張られた時の、固定レール、移動レール及びハードディスクドライブのガイドピンの状態を示すハードディスクドライブ着脱機構の側面図である。
【図１７Ｄ】図１７Ｄは図１７Ｃの状態から引出しロッドが、最大引出し位置まで引き出された時の、固定レール、移動レール及びハードディスクドライブのガイドピンの状態を示すハードディスクドライブ着脱機構の側面図である。
【図１８】図１８はサーバ搭載ラックに搭載された本出願のハードディスクドライブ着脱機構を備えたラックマウントサーバ装置から、１つのハードディスクドライブを活性交換する場合の交換手順を、比較技術における交換手順と比較して示すフロー図である。
【発明を実施するための形態】
【００２０】
以下、添付図面を用いて本出願に係るハードディスクドライブ搭載装置の実施の形態を、具体的な実施例に基づいて詳細に説明する。なお、以下に説明する実施例ではハードディスクドライブ（ＨＤＤ）を説明するが、ハードディスクドライブと同様の形状を持つ装置であれば、本機構は適用可能である。例えば、光ディスク装置やシリコンディスクと呼ばれるＳＳＤ（ソリッドステートドライブ：固体型ドライブ）にも適用が可能である。
【００２１】
図７Ａは本出願のハードディスクドライブ搭載装置に搭載するハードディスクドライブ８の構造を示すものである。本出願のハードディスクドライブ搭載装置に搭載するハードディスクドライブ８は、両側面にガイドピン８Ｐが２本ずつ突設され、両側面に隣接する一方の端部にコネクタ８Ｃが設けられたものである。
【００２２】
図７Ｂは、ラックマウントサーバ装置から引き出されたハードディスクドライブ搭載装置である本出願の第１の実施例のラックマウントサーバ装置１０から、１つのハードディスク８を取り出す様子を示すものである。第１の実施例のラックマウントサーバ装置１０の筐体１０Ａは１Ｕサイズの高さを備えており、高さ方向に１つのハードディスクドライブを収容することができる。ラックマウントサーバ装置１０にはハードディスクドライブの搭載エリアＨＡがあり、この搭載エリアＨＡに複数のハードディスクドライブ８が縦横方向に並んで搭載されている。第１の実施例のラックマウントサーバ装置１０には、ハードディスクドライブ着脱機構３０が、ラックマウントサーバ装置１０に搭載するハードディスクドライブ８の数と同数だけ設けられている。ハードディスクドライブ着脱機構３０には操作レバー３４があり、この操作レバー３４を持ち上げるとハードディスクドライブ８が搭載エリアＨＡから取り出される。
【００２３】
図８Ａは、図７Ｂに示した本出願の第１の実施例のラックマウントサーバ装置１０に設けられている１つのハードディスクドライブ着脱機構３０の構造を示すものである。ハードディスクドライブ着脱機構３０には、２枚の固定レール３１と移動レール３２、回路基板３３及び操作レバー３４を備えている。２枚の固定レール３１は平行に配置されており、回路基板３３は、固定レール３１の各個の一方の端部の間に設けられており、ハードディスクドライブ８に接続する接続コネクタ３３Ｃを備えている。
【００２４】
固定レール３１の両側には、移動レール３２を摺動させるためのスライドガイド３１Ｇが設けられている。よって、移動レール３２は、固定レール３１のスライドガイド３１Ｇで挟まれた空間内を、回路基板３３に対して離れる方向或いは近づく方向に摺動可能である。移動レール３２は、固定レール３１の両側に設けることができる。２枚の固定レール３１には夫々ハードディスクドライブ８にあるガイドピン８Ｐの位置に対応するガイド溝３５がある。ガイド溝３５は、ハードディスクドライブ８の搭載時にガイドピン８Ｐを受け入れる垂直溝３５Ｖと、垂直溝３５Ｖ内のガイドピン８Ｐを回路基板３３側に移動させる水平溝３５Ｈとを備えている。
【００２５】
垂直溝３５Ｖの深さは、ガイドピン８Ｐが垂直溝３５Ｖの底部に達した時に、ハードディスクドライブ８に設けられたコネクタ８Ｃが、回路基板３３に設けられた接続コネクタ３３Ｃと水平位置において一致する深さである。また、水平溝３５Ｈの長さは、ガイドピン８Ｐが水平溝３５Ｈの最奥部まで移動した時に、ハードディスクドライブ８に設けられたコネクタ８Ｃが回路基板３３に設けられた接続コネクタ３３Ｃに接続される長さである。
【００２６】
一方、２枚の移動レール３２には夫々、ガイドピン駆動溝３６がガイド溝３５と同じ間隔で設けられている。ガイドピン駆動溝３６は、回路基板３３に近い側に斜面部３６Ｓ、遠い側に垂直部３６Ｖを備えている。移動レール３２が固定レール３１に設けられたスライドガイド３１Ｇの間に摺動可能に嵌め込まれると、移動レール３２の摺動時に、斜面部３６Ｓ又は垂直部３６Ｖの何れかがガイド溝３５に重なる。
【００２７】
また、ハードディスクドライブ着脱機構３０には、固定レール３１に対して移動レール３２を移動させることができる移動レール駆動部材である操作レバー３４が設けられている。操作レバー３４は、２本の長棒３４Ａ、２本の短棒３４Ｂ及び１本の連絡棒３４Ｃを備えた略Ｕ字状をしている。長棒３４Ａは固定レール３１と同程度の長さを備え、短棒３４Ｂは長棒３４Ａに対して回路基板３３側の端部に所定角度で接続され、連絡棒３４Ｃは２本の長棒３４Ａの他方の端部を接続している。長棒３４Ａと短棒３４Ｂの接続部には軸孔３４Ｈがあり、長棒３４Ａと短棒３４Ｂの接続部は、軸孔３４Ｈに挿通されるピン３７によって固定レール３１の回路基板３３側の端部に回転可能に接続される。また、短棒３４Ｂの自由端部には長孔３４Ｌがあり、移動レール３２の回路基板３３側の端部に設けられた軸孔３２Ｈに挿通されたピン３８がこの長孔３４Ｌに挿入される。
【００２８】
操作レバー３４がこのように固定レール３１と移動レール３２に連結された状態では、操作レバー３４の長棒３４Ａを固定レール３１に対して回転させると、短棒３４Ｂによって移動レール３２が固定レール３１に対して移動する。そして、ハードディスクドライブ８がハードディスクドライブ着脱機構３０の中に搭載された状態では、連絡棒３４Ｃが固定レール３１の他方の端部の位置に移動して、操作レバー３４が閉じた状態となる。図８Ｂは、図７Ｂに示した本出願の第１の実施例のラックマウントサーバ装置１０に設けられたハードディスクドライブ着脱機構３０の中にハードディスクドライブ８が無い状態を示すものであり、操作レバー３４の移動範囲を示している。
【００２９】
図９Ａは、ハードディスクドライブ８に突設されたガイドピン８Ｐと、ラックマウントサーバ装置１０に設けられたハードディスクドライブ着脱機構３０の固定レール３１と移動レール３２との関係を説明するものである。移動レール３２は固定レール３１に設けられたスライドガイド３１Ｇの間に挿入される。そして、ハードディスクドライブ８をハードディスクドライブ着脱機構３０に取り付ける場合は、ガイドピン８Ｐが固定レール３１に設けられたガイド溝３５に挿入される。
【００３０】
ここで、ハードディスクドライブ着脱機構３０にハードディスクドライブ８を搭載する時のハードディスクドライブ着脱機構３０の動作を、図９Ｂと、図１０Ａから図１０Ｆを用いて説明する。ハードディスクドライブ８がハードディスクドライブ着脱機構３０に搭載されていない状態では、図１０Ａ及び図９Ｂの一番上の図に示すように、操作レバー３４は固定レール３１から立ち上った状態（開いた状態）にある。そして、移動レール３２は回路基板３３から最も遠い位置に移動した位置にある。この状態では、ガイドピン駆動溝３６の斜面部３６Ｓは、ガイド溝３５の垂直溝３５Ｖに重なっている。
【００３１】
ハードディスクドライブ着脱機構３０の中にハードディスクドライブ８が搭載され、ガイドピン８Ｐが垂直溝３５Ｖ内に挿入されると、ガイドピン８Ｐは、図１０Ａ，図１０Ｂに示すように、垂直溝３５Ｖ内でガイドピン駆動溝３６の斜面部３６Ｓに当接して止まる。図１０Ｂは図１０ＡのＡ−Ａ線における断面を示している。この状態で操作レバー３４を倒して回転させ、移動レール３２を回路基板３３側に移動させると、図１０Ａに示す斜面部３６Ｓが垂直溝３５Ｖに重なった状態では、斜面部３６Ｓがガイドピン８Ｐを保持しながら垂直溝３５Ｖ内で降下させる。
【００３２】
操作レバー３４を更に回転させるとガイドピン８Ｐが垂直溝３５Ｖの最下部まで移動し、図１０Ｃに示す状態となる。この状態は、図９Ｂの２番目の図にも示すように、斜面部３６Ｓが水平溝３５Ｈに重なった状態である。図１０Ｃに示す状態から操作レバー３４を更に回転させると、図９Ｂの３番目の図に示すように、ガイドピン駆動溝３６の垂直部３６Ｖが垂直溝３５Ｖの中に移動する。この後は、図１０Ｄに示すようにガイドピン駆動溝３６の垂直部３６Ｖがガイドピン８Ｐを押してガイド溝３５の水平溝３５Ｈ内で回路基板３３側に移動させる。そして、ガイドピン８Ｐがガイド溝３５の水平溝３５Ｈ内で回路基板３３側に移動する過程で、ハードディスクドライブ８のコネクタ８Ｃが回路基板３３にある接続コネクタ３３Ｃに結合されていく。
【００３３】
操作レバー３４が固定レール３１に重なる位置まで回転させると、図９Ｂの最も下の図に示すように、ガイドピン駆動溝３６の斜面部３６Ｓが水平溝３５Ｈに重ならなくなる。そしてこの状態では、ガイドピン８Ｐがガイドピン駆動溝３６の垂直部３６Ｖとガイド溝３５の水平溝３５Ｈの端部との間に挟まれて固定される。この状態では、ハードディスクドライブ８のコネクタ８Ｃが回路基板３３にある接続コネクタ３３Ｃに結合している。図１０Ｆは図１０ＥのＢ−Ｂ線における状態を示すものである。
【００３４】
次に、ハードディスクドライブ着脱機構３０からハードディスクドライブ８を取り外す時のハードディスクドライブ着脱機構３０の動作を、図９Ｃと、図１１Ａから図１１Ｆを用いて説明する。図１１Ａの状態は、図１０Ｅに示した状態と同じである。この状態から操作レバー３４を引き上げると、図９Ｃの最も下の図に示すように、ガイドピン駆動溝３６の斜面部３６Ｓが、ガイドピン８Ｐに当接してこれを押す。
【００３５】
操作レバー３４を引き上げると、図１１Ｂに示すようにガイドピン８Ｐがガイドピン駆動溝３６の斜面部３６Ｓに押されてガイド溝３５の水平溝３５Ｈ内を移動し、やがて図９Ｃの下から２番目の図に示すガイド溝３５の垂直溝３５Ｖに当接して水平移動が止まる。ガイドピン８Ｐがガイド溝３５の水平溝３５Ｈ内を移動する過程で、ハードディスクドライブ８のコネクタ８Ｃが回路基板３３の接続コネクタ３３Ｃから抜去される。操作レバー３４を更に引き上げると、ガイドピン８Ｐは図９Ｃの上から２番目の図に示す斜面部３６Ｓに押されて今度はガイド溝３５の垂直溝３５Ｖの中を上昇する。この状態が図１１Ｃに示される。
【００３６】
操作レバー３４が固定レール３１に対して垂直の状態まで引き上げられると、操作レバー３４はこれ以上回転できなくなり、ガイドピン８Ｐは図１１Ｄに示す位置までガイド溝３５の垂直溝３５Ｖの中を上昇する。この時、ガイドピン８Ｐは図９Ｃの１番上の図に示すガイドピン駆動溝３６の斜面部３６Ｓに保持されている。ガイドピン８Ｐが図１１Ｄに示す位置まで上昇した状態では、ハードディスクドライブ８の上部がハードディスクドライブ着脱機構３０から露出している。そこで、露出部を掴んでハードディスクドライブ８を上に引き上げることにより、ハードディスクドライブ８をハードディスクドライブ着脱機構３０から取り外すことができる。
【００３７】
図１２Ａは、図７Ｂに示した本出願のハードディスクドライブ着脱機構３０を備えた第１の実施例のラックマウントサーバ装置１０における筐体１０Ａ内を流れる冷却風ＣＡの流れを示すものである。また、図１２Ｂは図１２Ａに示したラックマウントサーバ装置１０の筐体１０Ａにおける冷却風ＣＡの流れを側面側から見た側面図である。ハードディスクドライブ着脱機構３０を使用することにより、ハードディスクドライブ８の間に余分なスペースが無くなる。又、ハードディスクドライブ８自体には冷却風ＣＡの流れを妨げるような機構が不要なため、冷却風ＣＡがハードディスクドライブ８の表面に多く流れ込み、発熱部分を効率よく冷却する事が可能となる。
【００３８】
図１３Ａは、図７Ｂに示したラックマウントサーバ装置１０が情報処理装置であるサーバ搭載ラック５０から引き出された状態を示すものである。ラックマウントサーバ装置１０の筐体１０Ａの側面には、サーバ搭載ラック５０よりラックマウントサーバ装置１０を引き出す為のスライドレール５１が設けられている。ラックマウントサーバ装置１０の内部には、図１３Ｂに示すように、サーバの主要機能を構成するマザーボード６や電源ユニット９、冷却ファン２等が搭載されている。また、ラックマウントサーバ装置１０の内部には、ハードディスクドライブ８を着脱可能に搭載するための、固定レール３１、移動レール３２及び操作レバー３４を備えるハードディスクドライブ着脱機構３０が設けられている。
【００３９】
ラックマウントサーバ装置１０のハードディスクドライブ着脱機構３０には、図１３Ｃに示すように、ガイドピン８Ｐが両側面に設けられたハードディスク８を搭載する。また、ハードディスク８の搭載部の上部には、装置稼動状態でもハードディスクドライブ８の部分のみを部分的に開閉可能な保守用カバー１８を設ける。なお、図１３Ｂには、図１３Ａ、図１３Ｃに示した保守用カバー１８の図示が省略されている。
【００４０】
本出願のように、ハードディスクドライブ着脱機構を使用してハードディスクドライブを搭載する事により、ハードディスクドライブ自体に挿抜用の機構を設ける必要が無く、また作業スペースを最小限に抑えることができる為、ハードディスクドライブが容易に着脱可能となる。また、ハードディスクドライブの実装密度の向上及び部品コストを低減する事が可能となる。更に、実装密度が向上することにより、冷却経路が最適化され、冷却性能を向上させることが可能となる。
【００４１】
なお、第１の実施例では、ハードディスクドライブ着脱機構３０を搭載したラックマウントサーバ装置１０について説明したが、ハードディスクドライブ着脱機構３０は、ＣＰＵ等を搭載しないストレージ装置にも搭載することが可能である。
【００４２】
図１４Ａは、サーバ搭載ラック５０に搭載された本出願の第２の実施例のラックマウントサーバ装置２０が、筐体２０Ａに取り付けられたスライドレール５１を使用してサーバ搭載ラック５０から引き出された状態を示すものである。第１の実施例のラックマウントサーバ装置１０は、高さが最小限のサイズ（１Ｕサイズ）であった。これに対し、第２の実施例のラックマウントサーバ装置２０は高さがこれより高いサイズ（例えば２Ｕサイズ）を有する点が第１の実施例のラックマウントサーバ装置１０と相違する点である。第２の実施例のラックマウントサーバ装置２０は２Ｕサイズの高さを有するので、前面シェルフ２０Ｓには筐体２０Ａの高さ方向に３段にハードディスクドライブ１が積み重ねられている。ラックマウントサーバ装置２０の前面シェルフ２０Ｓに搭載されるハードディスクドライブ１は、前面シェルフ２０Ｓに対して前方（正面側）から着脱できるので、ハードディスクドライブ１の両側面にはガイドピンは設けられていない。
【００４３】
図１４Ｂは、図１４Ａに示したラックマウントサーバ装置２０を側面から見たものである。ラックマウントサーバ装置２０内には、前面から着脱作業可能なハードディスクドライブ１を搭載する前面シェルフ２０Ｓがある。前面シェルフ２０Ｓの後方には、サーバの主要機能を構成するマザーボード６、冷却ファン２、ヒートシンク３Ｈを備えたＣＰＵ３，メモリ４及び拡張用のＰＣＩボード（図示せず）等が搭載されている。２Ｕサイズのラックマントサーバ装置２０では、前述のように、ヒートシンク３Ｈを備えたＣＰＵ３やメモリ４の背が低いので、マザーボード６の上部に未使用エリアがある。
【００４４】
そこで、第２の実施例では、第１の実施例のラックマントサーバ装置１０に設けたハードディスクドライブ着脱機構３０を、筐体２０Ａにスペーサ２９等を用いてマザーボード６に干渉しないように取り付ける。ハードディスクドライブ着脱機構３０には、ガイドピン８Ｐを備えるハードディスクドライブ８を搭載し、ハードディスクドライブ着脱機構３０の上部には装置稼動状態で取り外し可能な上部カバー２８を設ける。
【００４５】
通常の２Ｕサイズのラックマウントサーバ装置では、マザーボードの主要機能が搭載されている部分と、拡張ＰＣＩボードや冷却ファン、ハードディスク等が搭載される部分では、搭載部品の高さの違いにより、ＣＰＵやメモリの上部に未使用エリアが発生していた。一方、本出願の第２の実施例のラックマウントサーバ装置２０では、未使用エリアにハードディスクドライブ着脱機構３０を設けてハードディスクドライブ８を搭載し、ハードディスクドライブ８の搭載数を増やしている。そして、ハードディスクドライブ着脱機構３０は主に、固定レール３１、移動レール３２及び操作レバー３４で構成され、ハードディスクドライブ８を取り除けば、底面部分が開いている為、マザーボード６上のＣＰＵ３やメモリ４等の保守・増設作業性を極力損なわない。このように、第２の実施例のラックマウントサーバ装置２０では、本来デッドスペースとなる所に、ハードディスクドライブ８を搭載できるため、未使用エリアを有効活用する事ができ、高密度実装が可能となる。
【００４６】
図１５Ａは、サーバ搭載ラックに搭載可能な第２の実施例の変形実施例の２Ｕサイズのラックマウントサーバ装置２０を示すものである。また、図１５Ｂは、図１５Ａに示したラックマウントサーバ装置２０の内部構造及び内部を流れる冷却風ＣＡの状態を説明するものである。本変形実施例では、前面から着脱可能なハードディスクドライブ１を搭載している前面シェルフ２０Ｓの一部（下部）に、マザーボード６を配置し、その上のＣＰＵ３を実装している。そして、ラックマウントサーバ装置２０の前面には吸気口２１を設けて冷却風ＣＡがより多くＣＰＵ３に当たるようにしている。
【００４７】
一方、ＣＰＵ３をラックマウントサーバ装置２０の前面に実装することにより、前面シェルフ２０Ｓに搭載できなくなったハードディスクドライブ１については、これと同様の記憶容量を持つガイドピン８Ｐ付のハードディスクドライブ８に変更する。そして、変更したハードディスクドライブ８をハードディスクドライブ着脱機構３０を用いて第２実施例と同様に、マザーボード６の上部空間にスペーサ２９を用いて搭載する。ハードディスクドライブ着脱機構３０の下方のマザーボード６にはメモリ４等を実装することができる。
【００４８】
通常、ハードディスクドライブを大量にラックマウントサーバ装置に搭載すると、ハードディスクドライブは吸気口のある装置前面部に配置されてしまう。このため、ハードディスクドライブが障害物となり、冷却風のラックマウントサーバ装置内への流入量が下がってしまい、サーバ用等の発熱量の高いＣＰＵを冷却する場合の冷却風による冷却効率が低下していた。
【００４９】
しかし、ラックマウントサーバ装置の前面にあったハードディスクドライブを装置内部に搭載する事により、ハードディスクドライブの搭載台数は維持したまま、冷却風による冷却効率が最も良い場所に、最も冷却する必要のあるＣＰＵを配置する事が可能となる。これにより、ＣＰＵの冷却効率を大幅に改善する事ができ、また冷却ファンの能力を抑える事が可能となる為、電力を削減する事も可能となる。
【００５０】
図１６Ａは本出願の第１の実施例のラックマウントサーバ装置１０に搭載される別の構造のハードディスクドライブ着脱機構３０Ａを示すものである。図８Ａ，図８Ｂに示した構造のハードディスクドライブ着脱機構３０では、操作レバー３４の回転基部が回路基板３３側にあり、連絡棒３４Ｃが回路基板３３から遠い側の固定レール３１の端部側にあった。一方、図１６Ａに示すハードディスクドライブ着脱機構３０Ａでは、操作レバー３４の回転基部が回路基板３３から遠い側にあり、連絡棒３４Ｃが回路基板３３側の固定レール３１の端部側にある。ハードディスクドライブ着脱機構３０Ａにおける固定レール３１及び移動レール３２の構造は、ハードディスクドライブ着脱機構３０における固定レール３１及び移動レール３２の構造と同じである。
【００５１】
したがって、ハードディスクドライブ着脱機構３０Ａの動作は、操作レバー３４の引き上げ方向が異なるだけで、その他の動作はハードディスクドライブ着脱機構３０の動作と全く同じである。そして、図１６Ａの状態が図１１Ａの状態に対応し、図１６Ｂの状態が図１１Ｂの状態に対応し、図１６Ｃの状態が図１１Ｄの状態に対応する。よって、同じ構成部材には同じ符号を付してその動作説明を省略する。
【００５２】
図１７Ａは、本出願のラックマウントサーバ装置に設けられる更に別の構造を備えたハードディスクドライブ着脱機構３０Ｃを示すものである。ハードディスクドライブ着脱機構３０Ｃには操作レバーはなく、移動レール３２の回路基板３３から遠い側の端部に、両端部を接続する操作ロッド３９が設けられている。ハードディスクドライブ着脱機構３０，３０Ａでは、操作レバー３４を固定レール３１に対して回転させることによって移動レール３２を移動させていた。一方、本実施例のハードディスクドライブ着脱機構３０Ｃでは、操作ロッド３９を外部から引いたり押したりすることによって移動レール３２を移動させている。このため、移動レール３２の回路基板３３側の端部には、移動レール３２の最大引出し位置を定めるストッパ３２Ｓが設けられている。移動レール３２はこのストッパ３２Ｓが固定レール３１に設けられたスライドガイド３１Ｇの端部に当接する位置まで引き出すことができる。
【００５３】
図１７Ｂは、ハードディスクドライブ着脱機構３０Ｃの操作ロッド３９に指Ｆを掛けて移動レール３２を引き出す状態を示すものであり、ハードディスクドライブ８、固定レール３１及び移動レール３２の状態は図１１Ａに示す状態と同じである。図１７Ｃは、図１７Ｂの状態から操作ロッド３９が更に引っ張られた状態を示しており、ハードディスクドライブ８、固定レール３１及び移動レール３２の状態は図１１Ｂに示す状態と同じである。図１７Ｄは、図１７Ｃの状態から操作ロッド３９が、最大引出し位置まで引き出された状態を示しており、ハードディスクドライブ８、固定レール３１及び移動レール３２の状態は図１１Ｄに示す状態と同じである。ハードディスクドライブ着脱機構において、固定レールに対して移動レールを移動させる部材は、操作レバーや操作ロッドに限定されるものではない。
【００５４】
図１８は、サーバ搭載ラックに搭載された本出願のハードディスクドライブ着脱機構を備えたラックマウントサーバ装置から、１つのハードディスクドライブを活性交換する場合の交換手順を、比較技術における交換手順と比較して示すフロー図である。図１８にはハードディスクドライブはＨＤＤと記載してある。
【００５５】
通常、ラックマウントサーバ装置の内部にハードディスクドライブを搭載した場合には、ハードディスクドライブが通電状態の時にハードディスクドライブに接触して作業する必要がある。しかし、本出願のハードディスクドライブ着脱機構を備えたラックマウントサーバ装置では、ハードディスクドライブに直接触れる事無く、電気的な接続及び解除ができる。このため、危険防止や誤動作防止の為のハードディスク単体を保護するカバーやその他の機構部品が不要となる。これらにより、実装密度の向上や不要部品削減によるコスト低減、さらには冷却的にも不要な部品やスペースが無くなる事で、冷却経路が単純化され冷却対象のハードディスクドライブを効率的に冷却可能となる事から、冷却性能を向上させる事ができる。
【００５６】
以上、本出願を特にその好ましい実施の形態を参照して詳細に説明した。本出願の容易な理解のために、本出願の具体的な形態を以下に付記する。
【００５７】
（付記１）  両側面にガイドピンが突設されたガイドピン付のハードディスクドライブが交換可能に搭載されるハードディスクドライブ搭載装置であって、
前記ハードディスクドライブ搭載装置の筐体内の前記ハードディスクドライブの搭載エリアに、１つの前記ハードディスクドライブの搭載部分毎に、前記搭載部分に対して前記ハードディスクドライブを独立に着脱できる機構が設けられており、
前記機構が、
前記ガイドピンを受け入れるガイド溝を備えた固定レールと、
該固定レールに対して隣接し、前記ガイド溝に入った前記ガイドピンを駆動溝によって移動させる移動レールとを備え、
前記ガイド溝に前記ガイドピンが挿入された時に前記固定レールの一端側に前記移動レールを移動させると、前記搭載部分に前記ハードディスクドライブが搭載され、前記搭載部分に前記ハードディスクドライブが搭載された状態で前記固定レールの他端側に前記移動レールを移動させると、前記搭載部分から前記ハードディスクドライブが取り出せる状態になるハードディスクドライブ搭載装置。
（付記２）  両側面にガイドピンが突設されたガイドピン付のハードディスクドライブ及び前面に着脱用部材を有するガイドピン無しのハードディスクドライブが、交換可能に搭載されるハードディスクドライブ搭載装置であって、
前記ハードディスクドライブ搭載装置の筐体内に、前記ガイドピン付のハードディスクドライブを搭載する第１の搭載エリアと、前記ガイドピン無しのハードディスクドライブを搭載する第２の搭載エリアとを備え、
前記第２の搭載エリアが前記筐体の前面側に設けられ、前記第１の搭載エリアが前記第２の搭載エリアよりも背面側に設けられ、
前記第１の搭載エリアには、前記ガイドピン付のハードディスクドライブの搭載部分毎に、前記搭載部分に対して前記ガイドピン付のハードディスクドライブを独立に着脱できる機構が設けられ、
前記機構が、
前記ガイドピンを受け入れるガイド溝を備えた固定レールと、
該固定レールに対して隣接し、前記ガイド溝に入った前記ガイドピンを駆動溝によって移動させる移動レールとを備え、
前記ガイド溝に前記ガイドピンが挿入された時に前記固定レールの一端側に前記移動レールを移動させると、前記搭載部分に前記ガイドピン付のハードディスクドライブが搭載され、前記搭載部分に前記ハードディスクドライブが搭載された状態で前記固定レールの他端側に前記移動レールを移動させると、前記搭載部分から前記ガイドピン付のハードディスクドライブが取り出せる状態になる付記１に記載のハードディスクドライブ搭載装置。
（付記３）  前記固定レールが平行に配置された２枚の固定レールであり、
前記固定レールの各個の一方の端部の間に、前記ガイドピン付のハードディスクドライブに接続する接続コネクタを備えた基板が設けられており、
前記移動レールは、前記固定レールの内側を、前記基板に対して離れる方向或いは近づく方向に摺動可能であり、
前記ガイド溝は、前記ハードディスクドライブの搭載時に前記ガイドピンを受け入れる垂直溝と、前記垂直溝内の前記ガイドピンを前記基板側に移動させる水平溝とを備えており、
前記駆動溝は、前記基板に近い側に斜面部、遠い側に垂直部を備え、前記移動レールの摺動時に、前記斜面部又は前記垂直部を前記ガイドピンに当接させて前記ガイドピンを前記ガイド溝内で移動させる付記１又は２に記載のハードディスクドライブ搭載装置。
（付記４）  前記移動レールに、外力の印加により前記移動レールを移動させる移動レール駆動部材が設けられている付記１から３の何れかに記載のハードディスクドライブ搭載装置。
（付記５）  前記垂直溝の深さは、前記ガイドピンが前記垂直溝の底部に達した時に、前記ハードディスクドライブに設けられたコネクタが前記基板に設けられた接続コネクタと水平位置において一致する深さであり、
前記水平溝の長さは、前記ガイドピンが前記水平溝の端部まで移動した時に、前記ハードディスクドライブに設けられたコネクタが前記基板に設けられた接続コネクタに接続される長さである付記１から４の何れかに記載のハードディスクドライブ搭載装置。
【００５８】
（付記６）  前記ハードディスクドライブ着脱機構の隣接部に設けられる前記固定レールは１つであり、前記移動レールは前記固定レールの両側に配置される付記１から５の何れかに記載のハードディスクドライブ搭載装置。
（付記７）  前記ハードディスクドライブの両側面には、夫々２本のガイドピンが同じ位置に突設されており、
前記固定レールには前記ガイド溝 が２箇所に設けられており、
前記移動レールには前記駆動溝が２箇所に設けられている付記１から６の何れか記載のハードディスクドライブ搭載装置。
（付記８）  前記移動レール駆動部材が、２本の長棒、２本の短棒及び１本の連絡棒を備えたレバーであり、
前記長棒は前記固定レールと同程度の長さを備え、前記短棒は前記長棒に対して前記基板側の端部で折れ曲がって接続され、前記連絡棒は前記２本の長棒の他方の端部を接続し、
前記長棒と前記短棒の接続部は前記固定レールの前記基板側の端部に軸支され、
前記短棒の自由端部は、前記移動レールの前記基板側の端部に長孔を介して連結され、
前記ガイドピン付のハードディスクドライブが前記ハードディスクドライブ着脱機構の中に搭載された状態では、前記連絡棒が前記固定レールの前記他方の端部の位置にあって、前記レバーが閉じた状態である付記１から７の何れかに記載のハードディスクドライブ搭載装置。
（付記９）  前記移動レール駆動部材(34)が、２本の長棒、２本の短棒及び１本の連絡棒を備えたレバーであり、
前記長棒は前記固定レールと同程度の長さを備え、前記短棒は前記長棒に対して前記基板側の端部で折れ曲がって接続され、前記連絡棒は前記２本の長棒の他方の端部を接続し、
前記短棒の自由端部は、前記固定レールの前記基板と反対側の端部に軸支され、
前記短棒と前記長棒の接続部の近傍は、前記移動レールの前記基板と反対側の端部に長孔を介して連結され、
前記ガイドピン付のハードディスクドライブが前記ハードディスクドライブ着脱機構の中に搭載された状態では、前記連絡棒が前記固定レールの前記基板側の端部の位置にあって、前記レバーが閉じた状態である付記１から７の何れかに記載のハードディスクドライブ搭載装置。
（付記１０）  前記移動レール駆動部材が前記移動レールの前記基板と反対側の端部同士を連結するロッドであり、
前記移動レールの前記基板側の端部には、前記移動レールの移動距離を制限するストッパが設けられていて、
前記ガイドピン付のハードディスクドライブが前記ハードディスクドライブ着脱機構の中に搭載された状態では、前記ロッドは前記固定レールの前記他方の端部の位置にある付記１から７の何れかに記載のハードディスクドライブ搭載装置。
【００５９】
（付記１１）  前記移動レールが前記基板に最も近い位置に移動した状態にある時は、前記ガイドピン駆動溝の前記斜面部は、前記ガイド溝の水平溝の端部の外にあり、
前記移動レールを前記基板側から離す方向に移動させると、前記斜面部が前記水平溝に重なった状態では、前記斜面部が前記ガイドピンを前記垂直溝方向に移動させ、前記斜面部が前記垂直溝に重なった状態では、前記斜面部が前記ガイドピンを前記垂直溝内で押し上げる付記１から１０の何れかに記載のハードディスクドライブ搭載装置。
（付記１２）  前記移動レールが前記基板から最も遠い位置に移動した状態にある時は、前記ガイドピン駆動溝の前記斜面部は、前記ガイド溝の垂直溝に重なっており、
前記ハードディスクドライブ着脱機構の中に前記ガイドピン付のハードディスクドライブが搭載され、前記ガイドピンが前記垂直溝内に挿入された状態で、前記移動レールを前記基板側に移動させると、前記斜面部が前記垂直溝に重なった状態では、前記斜面部が前記ガイドピンを保持しながら前記垂直溝内で降下させ、前記斜面部が前記水平溝に重なった状態では、前記ガイドピン駆動溝の垂直部が前記ガイドピンを押して前記水平溝内で前記基板側に移動させる付記１から１１の何れかに記載のハードディスクドライブ搭載装置。
（付記１３）  前記ハードディスクドライブ搭載装置がラックマウントサーバ装置であり、
前記ガイドピン付のハードディスクドライブの搭載エリアが前記筐体の前面側に配置されており、
前記筐体の背面側に少なくとも冷却ファン、回路基板、及び電源ユニットが設けられている付記１に記載のハードディスクドライブ搭載装置。
（付記１４）  前記ガイドピン付のハードディスクドライブの搭載エリアには、前記機構が横方向及び奥行方向に並んで配置されており、
横方向に並んだ前記機構の上には、前記機構を覆う保守用カバーが設けられている付記１３に記載のハードディスクドライブ搭載装置。
（付記１５）  前記ハードディスクドライブ搭載装置がストレージ装置であって、
前記ストレージ装置には前記ガイドピン付のハードディスクドライブの搭載エリアだけが設けられている付記１に記載のハードディスクドライブ搭載装置。
【００６０】
（付記１６）  ラック内にハードディスクドライブ搭載装置を積み重ねて搭載した情報処理装置であって、
前記ハードディスクドライブ搭載装置には、両側面にガイドピンが突設されたガイドピン付のハードディスクドライブが交換可能に搭載され、
前記ハードディスクドライブ搭載装置の筐体内の前記ハードディスクドライブの搭載エリアに、１つの前記ハードディスクドライブの搭載部分に対して１つ設けられ、前記搭載部分に対して前記ハードディスクドライブを独立に着脱できる機構を備え、前記機構が、
前記ガイドピンを受け入れるガイド溝を備えた固定レールと、
該固定レールに対して隣接し、前記ガイド溝に入った前記ガイドピンを駆動溝によって移動させる移動レールとを備え、
ハードディスクドライブ搭載装置では、前記ガイド溝に前記ガイドピンが挿入された時に、前記固定レールの一端側に前記移動レールを移動させると、前記搭載部分に前記ハードディスクドライブが搭載され、前記固定レールの他端側に前記移動レールを移動させると、前記搭載部分から前記ハードディスクドライブが取り出せる状態になる情報処理装置。
（付記１７）  ラック内にハードディスクドライブ搭載装置を積み重ねて搭載した情報処理装置であって、
両側面にガイドピンが突設されたガイドピン付のハードディスクドライブ及び前面に着脱用部材を有するガイドピン無しのハードディスクドライブが交換可能に搭載され、
前記ハードディスクドライブ搭載装置の筐体内に、前記ガイドピン付のハードディスクドライブを搭載する第１の搭載エリアと、前記ガイドピン無しのハードディスクドライブを搭載する第２の搭載エリアとを備え、
第２の搭載エリアが前記筐体の前面側に設けられ、前記第１の搭載エリアが前記第２の搭載エリアよりも背面側に設けられ、
前記第１の搭載エリアは、１つの前記ガイドピン付のハードディスクドライブの搭載部分に対して１つ設けられ、前記搭載部分に対して前記ガイドピン付のハードディスクドライブを独立に着脱できる機構を備え、前記機構が、
前記ガイドピンを受け入れるガイド溝を備えた固定レールと、
該固定レールに対して隣接し、前記ガイド溝に入った前記ガイドピンを駆動溝によって移動させる移動レールとを備え、
ハードディスクドライブ搭載装置では、前記ガイド溝に前記ガイドピンが挿入された時に、前記固定レールの一端側に前記移動レールを移動させると、前記搭載部分に前記ガイドピン付のハードディスクドライブが搭載され、前記固定レールの他端側に前記移動レールを移動させると、前記搭載部分から前記ガイドピン付のハードディスクドライブが取り出せる状態になる情報処理装置。
【符号の説明】
【００６１】
１    ハードディスク
２    ファン
３    ＣＰＵ
４    メモリ
５    拡張ＰＣＩボード
６    マザーボード
８    ハードディスクドライブ（ＨＤＤ）
８Ｐ    ガイドピン
１０、２０    ラックマウントサーバ装置
３０    ＨＤＤ着脱機構
３１    固定レール
３２    移動レール
３３    回路基板
３４    操作レバー
３５    ガイド溝
３６    ガイドピン駆動溝
３９    操作ロッド
５０    サーバ搭載ラック
５１    スライドレール
【図１Ａ】
2015076113.tif 000003
【図１Ｂ】
2015076113.tif 000004
【図２Ａ】
2015076113.tif 000005
【図２Ｂ】
2015076113.tif 000006
【図３Ａ】
2015076113.tif 000007
【図３Ｂ】
2015076113.tif 000008
【図４Ａ】
2015076113.tif 000009
【図４Ｂ】
2015076113.tif 000010
【図５Ａ】
2015076113.tif 000011
【図５Ｂ】
2015076113.tif 000012
【図６Ａ】
2015076113.tif 000013
【図６Ｂ】
2015076113.tif 000014
【図７Ａ】
2015076113.tif 000015
【図７Ｂ】
2015076113.tif 000016
【図８Ａ】
2015076113.tif 000017
【図８Ｂ】
2015076113.tif 000018
【図９Ａ】
2015076113.tif 000019
【図９Ｂ】
2015076113.tif 000020
【図９Ｃ】
2015076113.tif 000021
【図１０Ａ】
2015076113.tif 000022
【図１０Ｂ】
2015076113.tif 000023
【図１０Ｃ】
2015076113.tif 000024
【図１０Ｄ】
2015076113.tif 000025
【図１０Ｅ】
2015076113.tif 000026
【図１０Ｆ】
2015076113.tif 000027
【図１１Ａ】
2015076113.tif 000028
【図１１Ｂ】
2015076113.tif 000029
【図１１Ｃ】
2015076113.tif 000030
【図１１Ｄ】
2015076113.tif 000031
【図１２Ａ】
2015076113.tif 000032
【図１２Ｂ】
2015076113.tif 000033
【図１３Ａ】
2015076113.tif 000034
【図１３Ｂ】
2015076113.tif 000035
【図１３Ｃ】
2015076113.tif 000036
【図１４Ａ】
2015076113.tif 000037
【図１４Ｂ】
2015076113.tif 000038
【図１５Ａ】
2015076113.tif 000039
【図１５Ｂ】
2015076113.tif 000040
【図１６Ａ】
2015076113.tif 000041
【図１６Ｂ】
2015076113.tif 000042
【図１６Ｃ】
2015076113.tif 000043
【図１７Ａ】
2015076113.tif 000044
【図１７Ｂ】
2015076113.tif 000045
【図１７Ｃ】
2015076113.tif 000046
【図１７Ｄ】
2015076113.tif 000047
【図１８】
2015076113.tif 000048